(57)【要約】 【課題】作業施設の作業空間全体を緩慢に冷却することができる作業施設用空調システムを提供する。【解決手段】作業施設用空調システム１は、作業施設５の向かい合う壁部付近に設けられた送風ダクト２１，２２と、送風ダクトに冷気を供給する冷風発生機１１，１２と、送風ダクトに設けられた複数の冷風吐出口３と、冷風吐出口３と向かい合いかつ所定長離間するように吸引口が配置され、冷風吐出口３より吐出する冷風を吸引し、向かい合う壁部方向かつ下方に流れる誘引気流を形成させる複数の誘引気流発生機４とを備える。誘引気流発生機４が、冷風吐出口３より吐出する冷風の一部を吸引し、誘因気流を発生し、かつ、誘引気流発生機４により吸引されない残部の冷気が、冷風吐出口３より付近に拡散する。【選択図】図１
0003185460.tif 000002
【実用新案登録請求の範囲】
【請求項１】
略矩形状の内部空間を有する作業施設用の空調システムであって、前記空調システムは、前記作業施設の向かい合う壁部付近に設けられた送風ダクトと、前記送風ダクトに冷気を供給する冷風発生機と、前記送風ダクトに設けられた複数の冷風吐出口と、前記冷風吐出口と向かい合いかつ所定長離間するように吸引口が配置され、前記冷風吐出口より吐出する冷風を吸引し、前記向かい合う壁部方向かつ下方に流れる誘引気流を形成させる複数の誘引気流発生機とを備え、さらに、前記空調システムは、前記誘引気流発生機が、前記冷風吐出口より吐出する冷風の一部を吸引し、誘因気流を発生し、かつ、前記誘引気流発生機により吸引されない残部の冷気が、前記冷風吐出口より付近に拡散するものとしたことを特徴とする作業施設用空調システム。
【請求項２】
前記誘引気流発生機は、前記冷風吐出口より吐出する冷風の５０％以上かつ９０％以下の冷風を吸引するものである請求項１に記載の作業施設用空調システム。
【請求項３】
前記誘引気流発生機は、前記冷風吐出口より吐出する冷風の６０％以上かつ８０％以下の冷風を吸引するものである請求項１に記載の作業施設用空調システム。
【請求項４】
前記送風ダクトは、一方の壁部側に設けられた第１のダクト部と、他方の壁部側に設けられた第２のダクト部とを備え、前記第１のダクト部および前記第２のダクト部は、それぞれ複数の前記冷風吐出口を備え、かつ、前記第１のダクト部の前記冷風吐出口と前記第２のダクト部の前記冷風吐出口は、向かい合うように設けられている請求項１ないし３のいずれかに記載の作業施設用空調システム。
【請求項５】
前記誘引気流発生機は、一方の壁部側に設けられた複数の一方壁部側誘引気流発生機と、他方の壁部側に設けられた複数の他方壁部側誘引気流発生機とを備え、前記一方壁部側誘引気流発生機と前記他方壁部側誘引気流発生機は、向かい合うように配置されている請求項１ないし４のいずれかに記載の作業施設用空調システム。
【請求項６】
前記一方壁部側誘引気流発生機と前記他方壁部側誘引気流発生機は、それぞれから発生する誘引気流が前記一方壁部側誘引気流発生機と前記他方壁部側誘引気流発生機間のほぼ中央にて当接するように配置されている請求項５に記載の作業施設用空調システム。
【請求項７】
前記作業施設は、向かい合う壁部間のほぼ中央上部の天井に設けられた少なくとも１つの排気装置を備え、前記排気装置は、向かい合う前記誘引気流発生機の中央部のほぼ真上に位置している請求項１ないし６のいずれかに記載の作業施設用空調システム。
【請求項８】
前記作業施設は、天井に設けられた少なくとも１つの排気装置を備え、前記作業施設用空調システムは、前記排気装置に向かって流れる誘因気流発生機を備えている請求項１ないし７のいずれかに記載の作業施設用空調システム。
【請求項９】
前記冷風発生機は、水を用いた気化放熱式冷風発生機である請求項１ないし８のいずれかに記載の作業施設用空調システム。
【請求項１０】
前記冷風発生機は、正面または上面に設けられた送風口と、向かい合う側面に設けられた２つの吸気口とを有するハウジングと、前記一方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第１の冷却ユニットと、前記他方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第２の冷却ユニットと、前記第１の冷却ユニットと前記第２の冷却ユニット間かつ前記送風口の下方に設けられ、前記第１および第２の冷却ユニットにより冷却された冷気を合わせて前記送風口に送る送風機とを備えている請求項１ないし９のいずれかに記載の作業施設用空調システム。
【請求項１１】
前記誘引気流発生機は、吹出口風量の数倍以上の周辺空気を誘引することにより誘引気流を形成するものである請求項１ないし１０のいずれかに記載の作業施設用空調システム。
【請求項１２】
略矩形状の内部空間を有する作業施設用の空調システムであって、前記空調システムは、前記作業施設の向かい合う壁部付近に設けられた送風ダクトと、前記送風ダクトに冷気を供給する冷風発生機と、前記送風ダクトに設けられた複数の冷風吐出口と、前記冷風吐出口と向かい合いかつ所定長離間するように吸引口が配置され、前記冷風吐出口より吐出する冷風を吸引し、前記向かい合う壁部方向かつ下方に流れる誘引気流を形成させる複数の誘引気流発生機とを備え、さらに、前記空調システムは、前記誘引気流発生機が、前記冷風吐出口より吐出する冷風の一部を吸引し、誘因気流を発生し、かつ、前記誘引気流発生機により吸引されない残部の冷気が、前記冷風吐出口より付近に拡散するものとし、前記誘引気流発生機は、前記冷風吐出口より吐出する冷風の５０％以上かつ９０％以下の冷風を吸引するものであり、さらに、前記誘引気流発生機は、一方の壁部側に設けられた複数の一方壁部側誘引気流発生機と、他方の壁部側に設けられた複数の他方壁部側誘引気流発生機とを備え、前記一方壁部側誘引気流発生機と前記他方壁部側誘引気流発生機は、それぞれから発生する誘引気流が前記一方壁部側誘引気流発生機と前記他方壁部側誘引気流発生機間にて当接するように配置されていることを特徴とする作業施設用空調システム。
【請求項１３】
前記誘引気流発生機は、前記冷風吐出口より吐出する冷風の６０％以上かつ８０％以下の冷風を吸引するものである請求項１２に記載の作業施設用空調システム。
【請求項１４】
前記送風ダクトは、一方の壁部側に設けられた第１のダクト部と、他方の壁部側に設けられた第２のダクト部とを備え、前記第１のダクト部および前記第２のダクト部は、それぞれ複数の前記冷風吐出口を備え、かつ、前記第１のダクト部の前記冷風吐出口と前記第２のダクト部の前記冷風吐出口は、向かい合うように設けられている請求項１２または１３に記載の作業施設用空調システム。
【請求項１５】
略矩形状の内部空間を有する作業施設用の空調システムであって、前記空調システムは、前記作業施設の向かい合う壁部付近に設けられた送風ダクトと、前記送風ダクトに冷気を供給する冷風発生機と、前記送風ダクトに設けられた複数の冷風吐出口と、前記冷風吐出口と向かい合いかつ所定長離間するように吸引口が配置され、前記冷風吐出口より吐出する冷風を吸引し、前記向かい合う壁部方向かつ下方に流れる誘引気流を形成させる複数の誘引気流発生機とを備え、さらに、前記空調システムは、前記誘引気流発生機が、前記冷風吐出口より吐出する冷風の一部を吸引し、誘因気流を発生し、かつ、前記誘引気流発生機により吸引されない残部の冷気が、前記冷風吐出口より付近に拡散するものとし、前記誘引気流発生機は、前記冷風吐出口より吐出する冷風の６０％以上かつ８０％以下の冷風を吸引するものであり、前記送風ダクトは、一方の壁部側に設けられた第１のダクト部と、他方の壁部側に設けられた第２のダクト部とを備え、前記第１のダクト部および前記第２のダクト部は、それぞれ複数の前記冷風吐出口を備え、かつ、前記第１のダクト部の前記冷風吐出口と前記第２のダクト部の前記冷風吐出口は、向かい合うように設けられており、さらに、前記誘引気流発生機は、前記第１のダクト部の各冷風吐出口付近に設けられた複数の一方壁部側誘引気流発生機と、前記第２のダクト部の各冷風吐出口付近に設けられた複数の他方壁部側誘引気流発生機とを備え、かつ、前記一方壁部側誘引気流発生機と前記他方壁部側誘引気流発生機は、それぞれ向かい合い、かつそれぞれが発生する誘引気流が前記一方壁部側誘引気流発生機と前記他方壁部側誘引気流発生機間のほぼ中央にて当接するように配置されていることを特徴とする作業施設用空調システム。
【請求項１６】
前記作業施設は、向かい合う壁部間のほぼ中央上部の天井に設けられた少なくとも１つの排気装置を備え、前記排気装置は、向かい合う前記誘引気流発生機の中央部のほぼ真上に位置している請求項１２ないし１５のいずれかに記載の作業施設用空調システム。
【請求項１７】
前記作業施設は、天井に設けられた少なくとも１つの排気装置を備え、前記作業施設用空調システムは、前記排気装置に向かって流れる誘因気流発生機を備えている請求項１２ないし１６のいずれかに記載の作業施設用空調システム。
【請求項１８】
前記冷風発生機は、水を用いた気化放熱式冷風発生機である請求項１２ないし１７のいずれかに記載の作業施設用空調システム。
【請求項１９】
前記冷風発生機は、正面または上面に設けられた送風口と、向かい合う側面に設けられた２つの吸気口とを有するハウジングと、前記一方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第１の冷却ユニットと、前記他方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第２の冷却ユニットと、前記第１の冷却ユニットと前記第２の冷却ユニット間かつ前記送風口の下方に設けられ、前記第１および第２の冷却ユニットにより冷却された冷気を合わせて前記送風口に送る送風機とを備えている請求項１２ないし１８のいずれかに記載の作業施設用空調システム。
【請求項２０】
前記誘引気流発生機は、吹出口風量の数倍以上の周辺空気を誘引することにより誘引気流を形成するものである請求項１２ないし１９のいずれかに記載の作業施設用空調システム。
【考案の詳細な説明】
【技術分野】
【０００１】
本考案は、大空間を有し、室内に射出成形機等の発熱源が設置された工場施設等に用いられる作業施設用空調システムに関する。
【背景技術】
【０００２】
従来、工場等の室を冷却する気化放熱冷風装置として、室の一方の側壁に設けた外気取り入れ口に送風機及び送風機の空気の送り出し側に設けた噴霧放水装置をもって構成し、噴霧状態で放出する水をもって空気を冷却する冷却装置と、室の他方側の屋根または側壁に設けた排気口に配設する、送られた冷風を吸引して室外に排出する換気扇を備えたものが案出されている（特許文献１参照）。
また、工場の内気送風方法と、この方法に使用する攪拌扇の構造として、工場の高温帯域に複数基の攪拌扇を配備し、第１の攪拌扇から第４の攪拌扇に順次送風し、この多数基の攪拌扇で、前記内気を順送するものが案出されている（特許文献２参照）。
さらに、室内換気システムとして、外気を清浄化し且つ気化熱を利用して冷却し、室内に取り込み、室内の空気を室外に排出するようになしたものが案出されている（特許文献３参照）。
また、本願出願人は、実用新案登録第３１４６５８２号公報（特許文献４）の空気流が流通可能な実質的に直線状に延びる通路空間を有する作業施設用の空調システムを提案している。
この作業施設用の空調システムは、空気流が流通可能な実質的に直線状に延びる通路空間を有する作業施設のためのものである。そして、この作業施設用の空調システムは、冷風発生機１０と、冷風発生機により発生された冷風を吸引可能に作業施設の通路空間の一端側に配置され、通路空間の一端側より他端側に向かって流れる誘引気流を形成させる通路方向誘引気流発生機１１と、作業施設の天井部に配置される排気装置１２と、通路方向誘引気流発生機より通路空間の他端側でありかつ所定風速の誘引気流が流れる位置に配置され、誘引気流を吸引し、かつ、排気装置方向に向かって流れる排気用誘引気流を形成させる排気装置方向誘引気流発生機１３とを備える。
【先行技術文献】
【特許文献】
【０００３】
【特許文献１】特開平１０−４７８０７号公報
【特許文献２】特開２００８−５１３７７号公報
【特許文献３】特開２００２−３９５８５号公報
【特許文献４】実用新案登録第３１４６５８２号公報
【考案の概要】
【考案が解決しようとする課題】
【０００４】
近年気候の温暖化により外気温度が上がり、溶解炉等高温を発生する設備を設置してある作業施設では、施設内の温度が外気温度より高い厳しい環境にあり、この作業環境を改善するために、専用の空調設備を必要とするが、溶解炉等を設置してある大きな作業施設では膨大な費用がかかり多くの空調設備を設けることは現実的でない。
空調設備の代わりに気化放熱冷風装置、換気装置を備えたものとして、特許文献１の気化放熱冷風装置では、室の一方の側壁に送風機を備えただけで広い作業施設の場合に冷風を行き渡らせることができず、かつ屋根または側壁にもうけた換気扇で吸引排出するが、広い室内に滞留する高温の空気を完全に室外に出すことができず、作業環境が悪くなるという問題があり、また、特許文献２の工場の内気送風方法では複数基の攪拌扇で内気を順送することが開示されているだけで導入フアンで導入する外気を攪拌扇で順送するだけであり、外気温が高い夏期に、高温となっている施設内に外気を順送しても室内の温度を下げることができず、さらに特許文献３で外気を清浄化し且つ気化熱を利用して冷却し、室内に取り込み、室内の空気を室外に排出することを開示しているが、これも室内の長い通路を冷風を移動する手段がなく、かつ室内に滞留する温度の高い空気を換気扇で排出が十分行えず、作業施設内の改善ができないなどの問題がある。
【０００５】
特許文献４のものでは、空気流が流通可能な実質的に直線状に延びる通路空間を有する作業施設には有効である。しかし、作業空間として、直線状に延びる通路空間を持たない場合があり、かつ、作業空間全体を緩慢に冷却することが望まれる場合があった。
本考案の目的は、作業施設に冷風発生機と、冷風発生機からの冷風を誘因する誘引気流発生機とを用いて、作業空間全体を緩慢に冷却することができる作業施設用空調システムを提供するものである。
【課題を解決するための手段】
【０００６】
上記目的を達成するものは、以下のものである。
（１）  略矩形状の内部空間を有する作業施設用の空調システムであって、前記空調システムは、前記作業施設の向かい合う壁部付近に設けられた送風ダクトと、前記送風ダクトに冷気を供給する冷風発生機と、前記送風ダクトに設けられた複数の冷風吐出口と、前記冷風吐出口と向かい合いかつ所定長離間するように吸引口が配置され、前記冷風吐出口より吐出する冷風を吸引し、前記向かい合う壁部方向かつ下方に流れる誘引気流を形成させる複数の誘引気流発生機とを備え、さらに、前記空調システムは、前記誘引気流発生機が、前記冷風吐出口より吐出する冷風の一部を吸引し、誘因気流を発生し、かつ、前記誘引気流発生機により吸引されない残部の冷気が、前記冷風吐出口より付近に拡散するものとした作業施設用空調システム。
【０００７】
（２）  前記誘引気流発生機は、前記冷風吐出口より吐出する冷風の５０％以上かつ９０％以下の冷風を吸引するものである上記（１）に記載の作業施設用空調システム。
（３）  前記誘引気流発生機は、前記冷風吐出口より吐出する冷風の６０％以上かつ８０％以下の冷風を吸引するものである上記（１）に記載の作業施設用空調システム。
（４）  前記送風ダクトは、一方の壁部側に設けられた第１のダクト部と、他方の壁部側に設けられた第２のダクト部とを備え、前記第１のダクト部および前記第２のダクト部は、それぞれ複数の前記冷風吐出口を備え、かつ、前記第１のダクト部の前記冷風吐出口と前記第２のダクト部の前記冷風吐出口は、向かい合うように設けられている上記（１）ないし（３）のいずれかに記載の作業施設用空調システム。
（５）  前記誘引気流発生機は、一方の壁部側に設けられた複数の一方壁部側誘引気流発生機と、他方の壁部側に設けられた複数の他方壁部側誘引気流発生機とを備え、前記一方壁部側誘引気流発生機と前記他方壁部側誘引気流発生機は、向かい合うように配置されている上記（１）ないし（４）のいずれかに記載の作業施設用空調システム。
（６）  前記一方壁部側誘引気流発生機と前記他方壁部側誘引気流発生機は、それぞれから発生する誘引気流が前記一方壁部側誘引気流発生機と前記他方壁部側誘引気流発生機間のほぼ中央にて当接するように配置されている上記（５）に記載の作業施設用空調システム。
（７）  前記作業施設は、向かい合う壁部間のほぼ中央上部の天井に設けられた少なくとも１つの排気装置を備え、前記排気装置は、向かい合う前記誘引気流発生機の中央部のほぼ真上に位置している上記（１）ないし（６）のいずれかに記載の作業施設用空調システム。
（８）  前記作業施設は、天井に設けられた少なくとも１つの排気装置を備え、前記作業施設用空調システムは、前記排気装置に向かって流れる誘因気流発生機を備えている上記（１）ないし（７）のいずれかに記載の作業施設用空調システム。
（９）  前記冷風発生機は、水を用いた気化放熱式冷風発生機である上記（１）ないし（８）のいずれかに記載の作業施設用空調システム。
（１０）  前記冷風発生機は、正面または上面に設けられた送風口と、向かい合う側面に設けられた２つの吸気口とを有するハウジングと、前記一方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第１の冷却ユニットと、前記他方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第２の冷却ユニットと、前記第１の冷却ユニットと前記第２の冷却ユニット間かつ前記送風口の下方に設けられ、前記第１および第２の冷却ユニットにより冷却された冷気を合わせて前記送風口に送る送風機とを備えている上記（１）ないし（９）のいずれかに記載の作業施設用空調システム。
（１１）  前記誘引気流発生機は、吹出口風量の数倍以上の周辺空気を誘引することにより誘引気流を形成するものである上記（１）ないし（１０）のいずれかに記載の作業施設用空調システム。
【０００８】
また、上記目的を達成するものは、以下のものである。
（１２）  略矩形状の内部空間を有する作業施設用の空調システムであって、前記空調システムは、前記作業施設の向かい合う壁部付近に設けられた送風ダクトと、前記送風ダクトに冷気を供給する冷風発生機と、前記送風ダクトに設けられた複数の冷風吐出口と、前記冷風吐出口と向かい合いかつ所定長離間するように吸引口が配置され、前記冷風吐出口より吐出する冷風を吸引し、前記向かい合う壁部方向かつ下方に流れる誘引気流を形成させる複数の誘引気流発生機とを備え、さらに、前記空調システムは、前記誘引気流発生機が、前記冷風吐出口より吐出する冷風の一部を吸引し、誘因気流を発生し、かつ、前記誘引気流発生機により吸引されない残部の冷気が、前記冷風吐出口より付近に拡散するものとし、前記誘引気流発生機は、前記冷風吐出口より吐出する冷風の５０％以上かつ９０％以下の冷風を吸引するものであり、さらに、前記誘引気流発生機は、一方の壁部側に設けられた複数の一方壁部側誘引気流発生機と、他方の壁部側に設けられた複数の他方壁部側誘引気流発生機とを備え、前記一方壁部側誘引気流発生機と前記他方壁部側誘引気流発生機は、それぞれから発生する誘引気流が前記一方壁部側誘引気流発生機と前記他方壁部側誘引気流発生機間にて当接するように配置されている作業施設用空調システム。
（１３）  前記誘引気流発生機は、前記冷風吐出口より吐出する冷風の６０％以上かつ８０％以下の冷風を吸引するものである上記（１２）に記載の作業施設用空調システム。
（１４）  前記送風ダクトは、一方の壁部側に設けられた第１のダクト部と、他方の壁部側に設けられた第２のダクト部とを備え、前記第１のダクト部および前記第２のダクト部は、それぞれ複数の前記冷風吐出口を備え、かつ、前記第１のダクト部の前記冷風吐出口と前記第２のダクト部の前記冷風吐出口は、向かい合うように設けられている上記（１２）または（１３）に記載の作業施設用空調システム。
【０００９】
また、上記目的を達成するものは、以下のものである。
（１５）  略矩形状の内部空間を有する作業施設用の空調システムであって、前記空調システムは、前記作業施設の向かい合う壁部付近に設けられた送風ダクトと、前記送風ダクトに冷気を供給する冷風発生機と、前記送風ダクトに設けられた複数の冷風吐出口と、前記冷風吐出口と向かい合いかつ所定長離間するように吸引口が配置され、前記冷風吐出口より吐出する冷風を吸引し、前記向かい合う壁部方向かつ下方に流れる誘引気流を形成させる複数の誘引気流発生機とを備え、さらに、前記空調システムは、前記誘引気流発生機が、前記冷風吐出口より吐出する冷風の一部を吸引し、誘因気流を発生し、かつ、前記誘引気流発生機により吸引されない残部の冷気が、前記冷風吐出口より付近に拡散するものとし、前記誘引気流発生機は、前記冷風吐出口より吐出する冷風の６０％以上かつ８０％以下の冷風を吸引するものであり、前記送風ダクトは、一方の壁部側に設けられた第１のダクト部と、他方の壁部側に設けられた第２のダクト部とを備え、前記第１のダクト部および前記第２のダクト部は、それぞれ複数の前記冷風吐出口を備え、かつ、前記第１のダクト部の前記冷風吐出口と前記第２のダクト部の前記冷風吐出口は、向かい合うように設けられており、さらに、前記誘引気流発生機は、前記第１のダクト部の各冷風吐出口付近に設けられた複数の一方壁部側誘引気流発生機と、前記第２のダクト部の各冷風吐出口付近に設けられた複数の他方壁部側誘引気流発生機とを備え、かつ、前記一方壁部側誘引気流発生機と前記他方壁部側誘引気流発生機は、それぞれ向かい合い、かつそれぞれが発生する誘引気流が前記一方壁部側誘引気流発生機と前記他方壁部側誘引気流発生機間のほぼ中央にて当接するように配置されている作業施設用空調システム。
（１６）  前記作業施設は、向かい合う壁部間のほぼ中央上部の天井に設けられた少なくとも１つの排気装置を備え、前記排気装置は、向かい合う前記誘引気流発生機の中央部のほぼ真上に位置している上記（１２）ないし（１５）のいずれかに記載の作業施設用空調システム。
（１７）  前記作業施設は、天井に設けられた少なくとも１つの排気装置を備え、前記作業施設用空調システムは、前記排気装置に向かって流れる誘因気流発生機を備えている上記（１２）ないし（１６）のいずれかに記載の作業施設用空調システム。
（１８）  前記冷風発生機は、水を用いた気化放熱式冷風発生機である上記（１２）ないし（１７）のいずれかに記載の作業施設用空調システム。
（１９）  前記冷風発生機は、正面または上面に設けられた送風口と、向かい合う側面に設けられた２つの吸気口とを有するハウジングと、前記一方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第１の冷却ユニットと、前記他方の吸気口の内側に配設され、下部に水を貯留するための貯留部を有する通気性収納部と、前記通気性収納部内に収納され、前記貯留部の水を散水パイプに供給するための循環ポンプと、前記散水パイプによって散水された水の膜を形成する冷却エレメントとを備える第２の冷却ユニットと、前記第１の冷却ユニットと前記第２の冷却ユニット間かつ前記送風口の下方に設けられ、前記第１および第２の冷却ユニットにより冷却された冷気を合わせて前記送風口に送る送風機とを備えている上記（１２）ないし（１８）のいずれかに記載の作業施設用空調システム。
（２０）  前記誘引気流発生機は、吹出口風量の数倍以上の周辺空気を誘引することにより誘引気流を形成するものである上記（１２）ないし（１９）のいずれかに記載の作業施設用空調システム。
【考案の効果】
【００１０】
本考案の作業施設用空調システムは、略矩形状の内部空間を有する作業施設用の空調システムであって、前記空調システムは、前記作業施設の向かい合う壁部付近に設けられた送風ダクトと、前記送風ダクトに冷気を供給する冷風発生機と、前記送風ダクトに設けられた複数の冷風吐出口と、前記冷風吐出口と向かい合いかつ所定長離間するように吸引口が配置され、前記冷風吐出口より吐出する冷風を吸引し、向かい合う壁部方向かつ下方に流れる誘引気流を形成させる複数の誘引気流発生機とを備え、さらに、前記空調システムは、前記誘引気流発生機が、前記冷風吐出口より吐出する冷風の一部を吸引し、誘因気流を発生し、かつ、前記誘引気流発生機により吸引されない残部の冷気が、前記冷風吐出口より付近に拡散するものとなっている。
本考案の作業施設用空調システムは、誘引気流発生機により、ある程度の冷風を作業空間中央方向に送気し、かつ、誘引気流発生機により吸引されない残部の冷気が、冷風吐出口より付近に拡散するため、作業空間全体を緩慢に冷却することができる。
【図面の簡単な説明】
【００１１】
【図１】図１は、本考案の作業施設用空調システムの一実施形態を示す平面図である。
【図２】図２は、図１に示した作業施設用空調システムにおける誘引気流発生機の配置形態を説明するための説明図である。
【図３】図３は、図２に示した作業施設用空調システムにおける誘引気流発生機付近の拡大図である。
【図４】図４は、本考案の作業施設用空調システムにおける排気装置用誘引気流発生機の配置形態の一例を説明するための説明図である。
【図５】図５は、図４に示した作業施設用空調システムにおける排気装置用誘引気流発生機の配置形態を説明するための説明図である。
【図６】図６は、本考案の作業施設用空調システムの他の実施形態を示す平面図である。
【図７】図７は、本考案の作業施設用空調システムの他の実施形態を示す平面図である。
【図８】図８は、本考案の作業施設用空調システムの他の実施形態を示す平面図である。
【図９】図９は、本考案の作業施設用空調システムの他の実施形態を示す平面図である。
【図１０】図１０は、本考案の作業施設用空調システムにおける排気装置用誘引気流発生機の配置形態の一例を説明するための説明図である。
【図１１】図１１は、図１０に示した作業施設用空調システムにおける排気装置用誘引気流発生機の配置形態を説明するための説明図である。
【図１２】図１２は、本考案の作業施設用空調システムに用いられる冷風発生機の一例を説明するための説明図である。
【考案を実施するための形態】
【００１２】
本考案の作業施設用空調システムを図面に示した実施例を用いて説明する。
本考案の作業施設用空調システム１は、図１ないし図３に示すように、略矩形状の内部空間を有する作業施設用の空調システムである。空調システム１は、作業施設５の向かい合う壁部５１，５２付近に設けられた送風ダクト２１，２２と、送風ダクト２１，２２に冷気を供給する冷風発生機１１，１２と、送風ダクト２１，２２に設けられた複数の冷風吐出口３と、冷風吐出口３と向かい合いかつ所定長離間するように吸引口が配置され、冷風吐出口３より吐出する冷風を吸引し、向かい合う壁部方向かつ下方に流れる誘引気流を形成させる複数の誘引気流発生機４とを備える。さらに、空調システム１は、誘引気流発生機４が、冷風吐出口３より吐出する冷風の一部を吸引し、誘因気流を発生し、かつ、誘引気流発生機４により吸引されない残部の冷気が、冷風吐出口３より付近に拡散するものとなっている。
【００１３】
作業施設用空調システム１は、冷風発生機１１と、それに接続されたダクト２１と、ダクト２１に設けられた複数の冷風吐出口３とからなる第１の冷風送気部と、冷風発生機１２と、それに接続されたダクト２２と、ダクト２２に設けられた複数の冷風吐出口３とからなる第２の冷風送気部と、各冷風吐出口３付近に配置された誘引気流発生機４とを備える。
【００１４】
冷風発生機１１，１２としては、水を用いた気化放熱式冷風発生機を用いることが好ましい。
この実施例にて用いられている気化放熱式冷風発生機１１，１２は、図１２に示すように、正面もしくは上面（この実施例では上面）に設けられたダクト接続口６１と、側面に設けられた吸気口とを有するハウジング４０と、吸気口の内側に配設され、下部に水を貯留するための貯留部４９を有する通気性収納部４４と、通気性収納部４４内に収納され、貯留部４９の水を散水パイプ４６に供給するための循環ポンプ４７と、散水パイプ４６によって散水された水の膜を形成する冷却エレメント４５とを備える冷却ユニット４３と、冷却ユニット４３の内側かつ送風口６２の下方に設けられ、冷却ユニット４３により冷却された冷気を送風口６２に送る送風機３１とを備えている。
【００１５】
特に、この実施例の気化放熱式冷風発生機１１，１２は、図１２に示すように、２つの冷却ユニットを備えている。具体的には、気化放熱式冷風発生機１１，１２は、上面に設けられた送風口６２と、向かい合う側面に設けられた２つの吸気口とを有するハウジング４０と、一方の吸気口の内側に配設され、下部に水を貯留するための貯留部４９を有する通気性収納部４４と、通気性収納部４４内に収納され、貯留部４９の水を散水パイプ４６に供給するための循環ポンプ４７と、散水パイプ４６によって散水された水の膜を形成する冷却エレメント４５とを備える第１の冷却ユニット４３ａと、他方の吸気口の内側に配設され、下部に水を貯留するための貯留部４９を有する通気性収納部４４と、通気性収納部４４内に収納され、貯留部４９の水を散水パイプ４６に供給するための循環ポンプ４７と、散水パイプ４６によって散水された水の膜を形成する冷却エレメント４５とを備える第２の冷却ユニット４３ｂと、第１の冷却ユニット４３ａと第２の冷却ユニット４３ｂ間かつ送風口６２の下方に設けられ、第１の冷却ユニット４３ａおよび第２の冷却ユニット４３ｂにより冷却された冷気を合わせて送風口６２に送る送風機３１とを備えている。
【００１６】
このような気化放熱式冷風発生機１１，１２では、送風機３１が作動することにより、吸気口より外気を発生機内に吸引し、吸引した外気が冷却ユニットの水と接触し、冷却ユニットを通過することにより、冷却され、冷気となる。そして、冷気は、ダクト接続口６１に送られ、ダクト２１，２２を通り、冷風吐出口３より吹き出される。気化放熱式冷風発生機１１，１２は、冷却ユニットを有するため、良好な冷気を内部にて作成でき、かつ、確実に送風ダクトに送気することができる。また、２つの冷却ユニットを有するものでは、より多くの冷気を内部に作成することができる。
【００１７】
さらに、この実施例の気化放熱式冷風発生機１１，１２は、背面に、貯留部４９と連通する水注入ポート３６および水ドレーンポート３７を備えている、さらに、各冷却ユニット４３ａ，４３ｂ内には、定期的に貯留部４９内の水を排出するためのドレーンポンプ（図示せず）を備えている。このため、貯留される水を清浄な状態のものとすることができる。
さらに、この実施例の気化放熱式冷風発生機１１，１２は、吸気口に設けられた吸気ルーバーパネル６３を備えている。また、吸気ルーバーパネル６３と冷却ユニット４３間には、冷却ユニット前フィルタ３８が配置されている。さらに、冷却ユニット４３と送風機３１間に位置する冷却ユニット後フィルタ４８を備えている、そして、送風機３１は、シロッコファン３３とそれを回転させるためのモータ３２を備えている。モータ３２とシロッコファン３３の回転軸に固定されたプーリー３５は、ベルト３４により連結されている。シロッコファンを用いることにより、多くの冷気を送気可能となっている。
【００１８】
第１の送風ダクト２１は、一方の壁部５１付近に設けられ、所定長延びるものとなっている。同様に、第２の送風ダクト２２は、第１の壁部５１と向かい合う他方の壁部５２の付近に設けられ、所定長延びるものとなっている。第１の送風ダクト２１と第２の送風ダクト２２は、向かい合っている。
第１の送風ダクト２１および第２の送風ダクト２２は、下流方向（冷風発生機１１，１２より離間する方向）に向かって横断面積が段階的に小さくなるものが用いられている。そして、断面積が変化する部分より若干上流側（冷風発生機側）となる部位に、冷風吐出口３が設けられている。図１に示すものでは、送風ダクト２１，２２は、横断面積が減少する複数（具体的には、６つ）の段階部を持ち、各段階部の末梢部に冷風吐出口３が設けられている。冷風吐出口３は、図３に示すように、送風ダクト２１，２２の側部より、向かい合う壁部方向かつ下方に突出している。言い換えれば、冷風吐出口３は、斜め下方を向くものとなっている。また、この冷風吐出口３は、送風ダクト２１，２２より直交するように延びる直交筒部と、この直交筒部の先端より、斜め下方に延びる傾斜筒部と、その先端に形成された開口部を備えている。開口部は、向かい合う壁部方向かつ下方を向いている。
【００１９】
また、この誘引気流発生機４は、冷風吐出口３からの冷風を吸引して吹き出すとともに、周辺空気を誘引し、排気装置方向誘引気流発生機の方向に流れる誘引気流７ａを形成し、流れる誘引気流７ａは、周辺空気を誘引することにより加温されるものの冷風を含有するため、室温より冷たく、冷風を含有する誘引気流７ａは、作業施設５の中央部に効率的に送られる。
誘引気流発生機４は、吹出口風量の数倍以上の周辺空気を誘引し、大きな空気流（誘引気流）を形成できるものである。特に、誘引気流発生機４としては、吹出口風量の１０倍以上、特に好ましくは、１５倍以上の周辺空気を誘引し気流を形成するものであることが好ましい。誘引気流発生機４としては、本体ケーシングと、ケーシングに収納される電動ファンと、ケーシングに設けられ電動ファンにて吸込まれた空気を吹き出す吹き出しノズルにより構成され、電動ファンにより吸込まれてノズルから噴出する空気量により大空間の空気を移動可能なものが好適である。
また、使用する誘引気流発生機４が発生する誘引気流は、０．６ｍ／ｓの風速流が約３３ｍまで到達し、０．４ｍ／ｓの風速流が約４０ｍまで到達し、０．３ｍ／ｓの風速流が約５０ｍまで到達する。
【００２０】
図１ないし図３に示すように、この実施例の作業施設用空調システム１は、送風ダクト１１，１２付近かつ作業空間側となる位置に設けられたフレーム４１を備え、フレーム４１には、各冷風吐出口３の配置位置に対応するように、誘引気流発生機保持部４２が設けられている。誘引気流発生機保持部４２は、誘引気流発生機４を上下にある程度の角度回動可能に保持する。また、誘引気流発生機保持部４２は、フレーム４１に、水平方向に回動可能に取り付けられている。このため、誘引気流発生機４は、水平方向および垂直方向に回動可能であり、その向きを調整可能となっている。
【００２１】
そして、本発明の作業施設用空調システム１では、冷風吐出口３と、冷風吐出口３と向かい合いかつ所定長離間するように吸引口が配置され、冷風吐出口３より吐出する冷風を吸引し、向かい合う壁部方向かつ下方に流れる誘引気流７ａを形成させる複数の誘引気流発生機４とを備える。つまり、誘引気流発生機４の吸引口は、冷風吐出口３方向を向き、ある程度近接するものの所定長離間するように配置されている。このため、誘引気流発生機４が、冷風吐出口３より吐出する冷風の一部を吸引し、誘因気流を発生し、かつ、誘引気流発生機４により吸引されない残部の冷気７ｂが、冷風吐出口３より付近に拡散するものとなっている。
【００２２】
そして、この誘引気流発生機４は、冷風吐出口３より吐出する冷風の５０％以上かつ９０％以下の冷風を吸引し、誘引気流を発生するように配置することが好ましい。特に、誘引気流発生機４は、冷風吐出口３より吐出する冷風の６０％以上かつ８０％以下の冷風を吸引するものであることが好ましい。冷風吐出口３と誘引気流発生機４の吸引口間の距離は、冷風吐出口３より吐出される冷風の風量、誘引気流発生機４のパワーにより相違するが、３０〜１２０ｃｍが好ましく、特に５０〜１００ｃｍが好ましい。
【００２３】
さらに、この実施例の作業施設用空調システム１では、図１および図２に示すように送風ダクト（第１の送風ダクト）１１の複数の冷風吐出口３と、送風ダクト（第２の送風ダクト）１２の複数の冷風吐出口は、それぞれ向かい合うように設けられている。そして、この実施例の作業施設用空調システム１では、誘引気流発生機４も、一方の壁部側に設けられた複数の一方壁部側誘引気流発生機４と、他方の壁部側に設けられた複数の他方壁部側誘引気流発生機４が、向かい合うように配置されている。さらに、図１および図２に示すように、一方壁部側誘引気流発生機４と他方壁部側誘引気流発生機４は、それぞれから発生する誘引気流７ａが、一方壁部側誘引気流発生機と他方壁部側誘引気流発生機間のほぼ中央にて当接するように配置されている。このように誘引気流７ａを当接させることにより、作業空間中に、冷気を確実に拡散することができる。また、誘引気流７ａの当接部７ｃは、それぞれの誘引気流の終端部であることが好ましい。このようにすることにより、誘引気流の基本的な流れを阻害することがない。
【００２４】
また、この実施例の作業施設用空調システム１では、図４および図５に示すように、作業施設５は、向かい合う壁部間のほぼ中央上部の屋根部５３に設けられた少なくとも１つの排気装置（ルーフファン）５４を備える。なお、図４および図５に示すものでは、作業施設５は、２つの排気装置５４を備えている。また、排気装置５４は、向かい合う誘引気流発生機の中央部のほぼ真上に位置している。また、この実施例の作業施設用空調システム１では、排気装置５４に向かう排気装置方向誘因気流発生機８を備えている。特に、図示するものでは、作業施設用空調システム１は、一方の側壁部付近および他方の側壁付近に配置され、それぞれ排気装置５４に向かって、誘引気流８ａを発生する排気装置方向誘因気流発生機８が配置されている。この実施例では、４つの天井用の排気装置方向誘因気流発生機８を有するものとなっている。このような排気装置方向誘因気流発生機８を設けることにより、作業施設内の暖気の排気が容易なものとなる。
【００２５】
また、本考案の作業施設用空調システム１は、上述のタイプのものに限定されない。
例えば、図６に示すようなものであってもよい。この実施例のシステム１ａでは、送風ダクト２１ａと送風ダクト２２ａは、実質的な長さが異なり、送風ダクト２１ａの方が若干長いものとなっている。また、送風ダクト２１ａと送風ダクト２２ａに設けられた冷風吐出口３の配置位置は、それぞれ向かい合うものとなっていない。しかし、冷風吐出口３の向きは、それぞれ向かい合うものとなっている。そして、送風ダクト２１ａの冷風吐出口３は、斜め後方かつ下を向きとなっており、送風ダクト２２ａの冷風吐出口３は、斜め前方かつ下向きとなっている。そして、それぞれの冷風吐出口３の形態に対応するように、誘引気流発生機４が、配置されている。これにより、上述した実施例のシステム１と同様に、このシステム１ａにおいても、一方壁部側誘引気流発生機４と他方壁部側誘引気流発生機４は、それぞれから発生する誘引気流７ａが、一方壁部側誘引気流発生機と他方壁部側誘引気流発生機間のほぼ中央にて当接するものとなっている。また、誘引気流７ａの当接部７ｃは、それぞれの誘引気流の終端部となっている。
【００２６】
また、本考案の作業施設用空調システム１は、例えば、図７に示すようなものであってもよい。この実施例のシステム１ｂでは、送風ダクト２１と送風ダクト２２は、図１に示したものと同じである。しかし、送風ダクト２１と送風ダクト２２に設けられた冷風吐出口３の向きは、それぞれ向かい合うように設定されている冷風吐出口３ではなく、向かい合う冷風吐出口３の隣りの冷風吐出口と向かい合うものとなっている。さらに、４つの誘引気流発生機４により、１グループが形成され、４つの誘引気流発生機により誘引される誘引気流７ａが、当接することにより形成される当接部７ｄを備えている。当接部７ｄは、４つの誘引気流発生機を頂点とする矩形の中心部に形成される。具体的には、第１の送風ダクト２１側の第１誘引気流発生機４（最先端、末梢側に位置する）は、斜め後方かつ下方を向き、第１の送風ダクト２１側の第２誘引気流発生機４（第１誘引気流発生機の隣に位置する）は、斜め前方後方かつ下方を向くものとなっている。そして、第２の送風ダクト２２側の第１誘引気流発生機４（最先端、末梢側に位置する）は、斜め後方かつ下方を向き、第２の送風ダクト２２側の第２誘引気流発生機４（第１誘引気流発生機の隣に位置する）は、斜め前方後方かつ下方を向くものとなっている。
【００２７】
これにより、第１の送風ダクト２１側の第１誘引気流発生機４（最先端、末梢側に位置する）と第２の送風ダクト２２側の第２誘引気流発生機４（第１誘引気流発生機の隣に位置する）が向かい合うものとなっている。そして、第２の送風ダクト２２側の第１誘引気流発生機４（最先端、末梢側に位置する）とは、第１の送風ダクト２１側の第２誘引気流発生機４（第１誘引気流発生機の隣に位置する）が向かい合うものとなっている。このため、向かい合う２組の誘引気流発生機をつなぐ２本直線の交点部分にて、４つの誘引気流発生機により誘引される誘引気流７ａが、当接するものとなっている。残りの８つの誘引気流発生機も、上記と同様に配置され、向かい合う２組の誘引気流発生機をつなぐ２本直線の交点部分にて、４つの誘引気流発生機により誘引される誘引気流７ａが、当接し、当接部７ｄを形成する。
【００２８】
また、本考案の作業施設用空調システムは、例えば、図８に示すシステム１ｃのように、図７に示した誘引気流発生機により誘引される誘引気流７ａが、交差するタイプの誘引気流発生機の配置と、図１に示した誘引気流発生機により誘引される誘引気流７ａが、交差しない（平行に流れる）タイプの誘引気流発生機の配置とを混在したものであってもよい。図８に示すものでは、作業施設５の手前側と奥側では、誘引気流発生機により誘引される気流が、交差するタイプの誘引気流発生機の配置となっており、中央側では、誘引気流発生機により誘引される気流が平行に流れるタイプの誘引気流発生機の配置となっている。
【００２９】
さらに、本考案の作業施設用空調システムは、例えば、図９に示すようなものであってもよい。この実施例のシステム１ｄでは、第１の送風ダクト２１ａと第２の送風ダクト２２ａは、実質的な長さが異なり、送風ダクト２１ａの方が若干長いものとなっている。また、送風ダクト２１ａと送風ダクト２２ａに設けられた冷風吐出口３の配置位置は、それぞれ向かい合うものとなっていない。さらに、冷風吐出口３の向きも、それぞれ向かい合うものとなっていない。そして、誘引気流発生機４の向きもそれぞれ向かい合うものとなっていない。このため、一方壁部側誘引気流発生機４と他方壁部側誘引気流発生機４は、それぞれから発生する誘引気流７ａが当接しないものとなっている。
【００３０】
また、作業施設における排気装置（ルーフファン）５４の配置形態としては、図１０および図１１のようなものである場合がある。この作業施設５ａでは、排気装置（ルーフファン）５４は、向かい合う壁部間のほぼ中央上部に設けられておらず、中央部上部より、所定長壁部側となる位置にそれぞれ１つ設けられている。そして、このような排気装置（ルーフファン）５４の配置形態の場合では、本考案の作業施設用空調システムとしては、図１０および図１１に示すシステム１ｅのような形態にて、排気装置方向誘因気流発生機８を配置することが好ましい。具体的には、図１０および図１１に示すように、作業施設５ａは、屋根部５３に４つの排気装置５４を備えている。この実施例の作業施設用空調システム１ｅでは、１つの排気装置５４に向かう２つの排気装置方向誘因気流発生機８を備えている。特に、図示するものでは、各排気装置５４に対して、側壁部付近に配置され排気装置５４に向かって、誘引気流８ａを発生する第１の排気装置方向誘因気流発生機８と、作業施設５の中央部に配置され、排気装置５４に向かって、誘引気流８ａを発生する第２の排気装置方向誘因気流発生機８を備えるものとなっている。このように、作業施設５の中央部に排気装置方向誘因気流発生機８を設けることにより、冷却効率は向上する。
【符号の説明】
【００３１】
１  作業施設用空調システム１
１１，１２  冷風発生機
２１，２２  送風ダクト
３  冷風吐出口
４  誘引気流発生機
【図１】
0003185460.tif 000003
【図２】
0003185460.tif 000004
【図３】
0003185460.tif 000005
【図４】
0003185460.tif 000006
【図５】
0003185460.tif 000007
【図６】
0003185460.tif 000008
【図７】
0003185460.tif 000009
【図８】
0003185460.tif 000010
【図９】
0003185460.tif 000011
【図１０】
0003185460.tif 000012
【図１１】
0003185460.tif 000013
【図１２】
0003185460.tif 000014